(57)【特許請求の範囲】
【請求項１】
群衆を規制するバリアのための保持装置であって、
当該保持装置が、コンテナ内に回転可能に取り付けられたボビンであって、コンテナから現れるベルトの自由端を備え、当該ボビンのまわりに巻き付けられる柔軟なベルトを有するように構成されており、当該ベルトの自由端を離れた支持体に接続できるように、当該ボビンに巻き付けられたベルトを引き伸ばすことができる、ボビンと、ベルトが引き伸ばされるにつれてばねの張力が増すように、ボビンに作用するように、配置されたばねと、を有し、
当該保持装置において、ボビンは軸方向に当該コンテナ内に挿入可能であり、そして当該コンテナから取り外し可能であり、ばねの一端が作用している当該ばね用のキャリアを備え、当該コンテナ内にボビンを軸方向に挿入する時に、ばねに予負荷を加えるために当該キャリアを回転させるように配置されたネジ山手段を含んでいる、
群衆を規制するバリアのための保持装置。
【請求項２】
当該キャリアはボビンと同軸にコンテナ内に回転可能に取り付けられており、ばねはキャリアとコンテナの間に作用し、当該ネジ山手段はボビン及びキャリアに備えられており、ボビンをコンテナ内に挿入する時にキャリアが回転する、請求項１に記載の保持装置。
【請求項３】
キャリアはキャリアから軸方向に突出するネジ山が付けられたピンを備え、ボビンは対応するネジ山が付けられた穴を有しており、ボビンをコンテナ内に挿入する時に、当該穴が当該ピンに係合する、請求項２に記載の保持装置。
【請求項４】
キャリアはネジ山が付けられた穴を有し、ボビンはボビンから軸方向に突出するネジ山が付けられたピンを備えており、ボビンをコンテナ内に挿入する時に、当該ピンが当該穴に係合する、請求項２に記載の保持装置。
【請求項５】
当該コンテナは一端が閉ざされたチャンバーを規定し、当該キャリアは当該チャンバーの一端において、又は、当該チャンバーの一端の近くで、当該チャンバー内に回転可能に取り付けられ、そして、当該キャリアは軸運動が抑制されている、請求項２から４のいずれか１つに記載の保持装置。
【請求項６】
当該キャリアがボビンと同軸にボビンに回転可能に取り付けられ、ばねがキャリアとボビンの間に作用し、当該協働するネジ山はキャリア及びコンテナに備えられており、ボビンをコンテナ内に挿入する時にキャリアが回転する、請求項１に記載の保持装置。
【請求項７】
キャリアはキャリアから軸方向に突出するネジ山が付けられたピンを備え、コンテナは対応するネジ山が付けられた穴を有しており、ボビンをコンテナ内に挿入する時に、当該穴内に当該ピンがねじ係合する、請求項６に記載の保持装置。
【請求項８】
キャリアはネジ山が付けられた穴を有し、コンテナは突出するネジ山が付けられたピンを備えており、ボビンをコンテナ内に挿入する時に、当該ピンが当該キャリアの穴にねじ受けされる、請求項６に記載の保持装置。
【請求項９】
当該コンテナは一端が閉ざされたチャンバーを規定し、ボビンがチャンバー内に挿入される時に、当該キャリアは、当該チェンバーの閉ざされた一端の近くに位置する当該キャリアの一端において、当該ボビンに回転可能に取り付けられる、請求項６から８のいずれか１つに記載の保持装置。
【請求項１０】
ネジ山手段は相互に適合して協働するネジ山部品を含んでいる、請求項１から９までのいずれか１つに記載の保持装置。
【請求項１１】
ネジ山手段は、相対的な軸方向運動が相対的な回転を生じさせるように、開口からピンや棒が伸び出している開口付き板と、協働するらせん状に溝が付けられたピンや軸のまわりにねじられた棒と、を含んでいる、請求項１から９のいずれか１つに記載の保持装置。
【請求項１２】
ネジ山手段は、相対的な軸方向運動が溝とピンとの間の相対的な回転を生じさせるように、少なくとも１つのらせん状に形成された溝を有する穴に係合可能な少なくとも１つの横方向へ突出する小棒状体を備えたピンを含んでいる、請求項１から９のいずれか１つに記載の保持装置。
【発明の詳細な説明】
【技術分野】
【０００１】
本出願は、種々の実施態様の「群衆を規制するバリア」（crowd control barrier）に関する。特に本発明は、保持装置内に配置されたボビンから引き伸ばすことができるベルトの形状である「群衆を規制するバリア」のための保持装置と、当該ベルトの当該ボビンへの接続に関する。
【背景技術】
【０００２】
周知の形状の「群衆を規制するバリア」は、垂直に伸びる柱状体の上部内に収容されている、織って作られたウェビング・ストラップ（目の粗い丈夫なストラップ）あるいはベルト(a woven webbing strap or band)を有している。柱状体内に回転可能に取り付けられているボビンのまわりにストラップは巻き付けられている。このようなバリアは、ウェビング・ストラップをボビン上に再び巻き付けるために、ボビンに回転モーメントを与えるようにばねが配置されている、シートベルト技術から開発されている。ウェビング・ストラップがばね力に抗して引き伸ばされ、そして、同様の柱状体あるいは他の支持体に取り付けられた適切な接続具に取り付けることができるように、ウェビング・ストラップの自由端にはクリップが取り付けられている。
【発明の概要】
【発明が解決しようとする課題】
【０００３】
上記の周知のバリアに関して、ウェビング・ストラップは通常ナイロンあるいはポリエステルを原料として織られており、製織において装飾を組み込むこと、または印刷によって、装飾することができる。不可避的に、このような装飾は比較的に低品質であり、典型的には約５０ｍｍであるストラップの幅内に組み込まれなければならない。当該装飾が情報や宣伝の形をとっている場合には、現地でウェビング・ストラップを交換可能であることが有利である。しかし、現在の設計においては、このことを達成するのは困難であり、全ての機構を分解し、そして、再組み立てする必要がある。
【０００４】
上記の種類の、周知のバリアのさらなる問題点は、バリアが使用されていない時に、ウェビング・ストラップは、端部つまみを除いて、完全に引っ込められなければならないことである。しかし、このことにより、ストラップが完全に引っ込められた時にばねにまだ張力が存在するように、ばねに予荷重（pre-load）を加えることが必要となる。寿命が来るまでストラップが交換されない場合、予荷重を当初の組立中に機構に組み込むことができるので、このことは問題にはならない。ストラップを交換できるようにバリアを構成する場合、機構の適切な動作のために、ばねに十分な予荷重を加えることを確保することは作業者にとって非常に困難である。
【０００５】
上記の問題は、WO２００９／００７７５６に記載されており、ばねがカセット内に提供されている構成が記載されている。ボビンは柱状体内に回転可能に取り付けられており、ボビンが柱状体の内部に配置された後に、ボビンに張力を加えるように、柱状体にカセットが取り付けられる。WO２００９／００７７５６の構成は、ストラップが引き伸ばされている時に使用者がうっかりとカセットを解除してしまうのが大変容易であるという制約に特に悩まされていた。このことは、ばねへの荷重なしにばねのエネルギーを解放する効果を有し、それにより、ばねが損傷すること及びばねが中央配置から解放されることが引き起こされる。さらに、バリアが要求に応じて機能する為には、適切な回数の予引張り回転がカセットに加えられなければならない。これらの要因は、所望の機能性を有するようにストラップをうまく交換できるようになる前に、かなりの訓練が必要であることを意味している。
【課題を解決するための手段】
【０００６】
本発明の第１の態様によれば、「群衆を規制するバリア」のための保持装置であって、当該保持装置が、コンテナ内に回転可能に取り付けられたボビンであって、コンテナから現れるベルトの自由端を備え、当該ボビンのまわりに巻き付けられる柔軟なベルトを有するように構成されており、当該ベルトの自由端を離れた支持体に接続できるように、当該ボビンに巻き付けられたベルトを引き伸ばすことができる、ボビンと、ベルトが引き伸ばされるにつれてばねの張力が増すように、ボビンに作用するように、配置されたばねと、を有し、当該保持装置において、ボビンは軸方向に当該コンテナ内に挿入可能であり、そして当該コンテナから取り外し可能であり、ばねの一端が作用している当該ばね用のキャリアを備え、当該コンテナ内にボビンを軸方向に挿入する時に、ばねに予負荷を加えるために当該キャリアを回転させるように配置されたネジ山手段(screw-thread means)を含んでいる、「群衆を規制するバリア」のための保持装置を提供する。
【０００７】
本発明の第１の態様の保持装置は典型的に柱状体の上端部分を含み、柱状体の上端部分内に「群衆を規制するベルト」の全長を保持しているボビンが回転可能に支持されている。ばねキャリアが備えられ、該ばねキャリアが、ベルトを保持しているボビンを柱状体に取り付ける時に、ばねに予荷重を加えるためにばねキャリアが回転するように配置されている。逆に、ボビンを柱状体から取り外す時に、予荷重は少なくともある程度まで解放される。
【０００８】
１つの実施態様において、キャリアは、ボビンと同軸にコンテナ内に回転可能に取り付けられており、そして、ばねはキャリアとコンテナの間に作用し、ネジ山手段は、ボビン及びキャリアに備えられた協働するネジ山を含んでおり、それにより、ボビンをコンテナ内に挿入する時にキャリアを回転させ、したがって、ばねに張力を加える。好ましくは、キャリアはキャリアから軸方向に突出するネジ山が付けられたピンを備え、ボビンは対応するネジ山が付けられた穴を有しており、ボビンをコンテナ内に挿入する時に、穴とピンが係合する。相対的な軸方向移動によって相対的な回転をもたらすように、ネジ山は比較的粗く、らせん状のスプライン曲線の形状であることが好ましい。他の実施態様においては、キャリアがボビンに回転可能に取り付けられ、ばねがボビンとキャリアの間に作用することも可能である。この場合、協働するネジ山はキャリア及びコンテナに備えられ、それにより、コンテナ内にボビンを挿入する時にキャリアを回転させ、したがって、ばねに張力を加える。
【０００９】
いずれの実施態様の場合でも、ネジ山手段は、ピンや棒が開口から伸びている開口付き板と、協働するらせん状に溝が付けられたピンや軸のまわりにねじられた平らな棒と、を含むことができ、それにより、相対的な軸方向運動が相対的な回転を生じさせる。他の実施態様においては、ネジ山手段は、少なくとも１つのらせん状に形成された溝を有する穴に係合可能な少なくとも１つの横方向に突出する小棒状体を備えたピンを含むことができ、ここで、溝を有する部品とピンとの間の相対的な軸方向運動がこれらの間の相対的な回転を生じさせる。
【００１０】
コンテナは一端が閉ざされているチャンバーを規定し、当該一端において、キャリアはチャンバー内に回転可能に取り付けられている。当該一端に対向する、チャンバーの他端を閉ざすためにキャップを配置することができ、ボビンを当該チャンバーから取り外し、そして当該チャンバー内に挿入できるように当該キャップは取り外し可能である。「群衆を規制するバリア」の好ましい実施態様として、当該コンテナは直立する柱状体の一部分とすることができ、好ましくは、この柱状体の上端に形成することができる。
【００１１】
ボビンに巻き付けられているベルトは、周知の形態の「群衆を規制するバリア」と同様に、ウェビング・ストラップで構成されても良い。代わりに、ベルトは、通常の形態のストラップよりもかなり大きな幅（使用時の垂直方向深さ）を有するプラスティック材料のフィルムの形態とすることもできる。
【００１２】
本発明の第２の態様によれば、「群衆を規制するバリア」のための保持装置であって、当該保持装置が、コンテナ内に回転可能に取り付けられたボビンであって、コンテナから現れるベルトの自由端を備え、当該ボビンのまわりに巻き付けられる柔軟なベルトを有するように構成されており、当該ベルトの自由端を離れた支持体に接続できるように、当該ボビンに巻き付けられたベルトを引き伸ばすことができる、ボビンと、ベルトが引き伸ばされるにつれてばねの張力が増すように、ボビンに作用するように、配置されたばねと、ボビンの回転軸のまわりに巻かれた柔軟な引張り部材と、を有し、この保持装置において、ボビンを回転させることによって、張力がばねから解放されるにしたがって、当該柔軟な引張り部材は当該回転軸のまわりにますます巻き付けられ、当該柔軟な引張り部材は、全ての張力がばねから解放される前に、当該回転軸のまわりにしっかりと完全に巻き付けられる、「群衆を規制するバリア」のための保持装置を提供する。
【００１３】
柔軟な引張り部材は、ばねの巻き戻しを制限し、ばねの全ての張力が開放されることを阻止するために用いられる。ベルトがボビンに再び巻き付けられる時には、全ての張力がばねから解放される前に、柔軟な引張り部材は当該回転軸のまわりにしっかりと完全に巻き付けられるが、ベルトがコンテナから引き伸ばされる時には、ばねの張力を増加させるようにばねが巻き付けられ、柔軟な引張り部材は巻き戻される。
【００１４】
好ましくは、柔軟な引張り部材は、１つの端でコンテナに接続され、他の端で直接あるいは間接的にボビンに接続されたリボン又はテープの形態であり、ボビンの回転によってリボン又はテープの巻かれた状態が変更される。
【００１５】
本発明の第２の態様の保持装置は、前記の本発明の保持装置に組み込まれても良い。このような場合には、柔軟な引張り部材はコンテナとばねキャリアとの間に配置され、ボビンとばねキャリアとの完全な相互係合にしたがって、柔軟な引張り部材は前記のように巻き付けられ、また、巻き戻される。
【００１６】
本発明の第３の態様によれば、「群衆を規制するバリア」のための保持装置であって、当該保持装置が、コンテナ内に回転可能に取り付けられたボビンであって、コンテナから現れるベルトの自由端を備え、当該ボビンのまわりに巻き付けられる柔軟なベルトを有するように構成されており、当該ベルトの自由端を離れた支持体に接続できるように、当該ボビンに巻き付けられたベルトを引き伸ばすことができる、ボビンと、ベルトが引き伸ばされるにつれてばねの張力が増すように、ボビンに作用するように、配置されたばねと、を有し、ボビンの一端はコンテナの内部に設けられた固定された第1のベアリングに回転自在に軸支され、ボビンの他端はコンテナの内部で横方向に浮動するように配置された第2のベアリングに回転自在に軸支されている、「群衆を規制するバリア」のための保持装置を提供する。
【００１７】
好ましくは、第2のベアリングの浮動は、第2のベアリングの軸をコンテナのスロットから遠ざける方向に付勢するように配置された１または2以上のばねによって制御されている。ボビンから巻き戻されるベルトの張力によってボビンに加わる力が、第2のベアリングをばねの張力に抗して移動させることができる。
【００１８】
本発明のこの配置によって、各々が前記のような保持装置を有する２または３以上のバリアを含むバリア・システムの隣接した柱状体の間のずれの調整が可能となる。もしベルトが、印刷用に比較的大きな表示領域を得るように、織物製のバリアにおいて通常使われているものよりはるかに幅広い場合には、このような配置は有用である。もし２つの隣接した柱状体が平行でない場合、あるいは、もし２つの隣接した柱状体が段差のある床の上にある場合には、柱状体の上端は同じ水平面にないので、問題が生ずる。このような場合には、ベルトの上部あるいは下部のいずれかがたるんでしまう。第2のベアリングの浮動を制御するばねを備えることによって、ベルトの張力が促進され、ベルトができるだけ平坦になる。さらに、第2のベアリングを浮動させることによって、ベルトをボビンに再び巻き付ける時に、保持装置の中でボビンが詰まって動かなくなる可能性を低減する。
【００１９】
本発明は、ボビンに巻き付けられるベルトと組み合わせて、本発明の複数の態様のうちの１つによる、前記の保持装置を含むバリアにまで及ぶものである。好ましくは、このようなベルトは比較的薄いフィルムの形態であり、この種の「群衆を規制するバリア」に従来用いられてきた織物製のベルトと対比されるものである。このようなフィルムはその上に印刷を可能にすることに適応しており、同様に、織物製のベルトに比べて、コンテナの特定の直径内でより長いフィルムをボビンに巻き付けることを可能にする。
【００２０】
ベルト、好ましくはフィルム、は、フィルムを完全に巻き戻した時に、フィルムがボビンから誤って外れないような方法で、ボビンにしっかりと取り付けられなければならない。他方、異なる情報を提供するためにバリアが展開される時にフィルムを交換する場合、特別の技能を必要としないで、古いフィルムをボビンから取り外し、新しいフィルムをボビンに取り付けることができなければならない。
【００２１】
上記のことを考慮して、本発明の第４の態様は、「群衆を規制するバリア」であって、当該バリアが、コンテナ内に回転可能に取り付けられたボビンであって、コンテナから現れるベルトの自由端を備え、当該ボビンのまわりに巻き付けられる柔軟なベルトを有するように構成されており、当該ベルトの自由端を離れた支持体に接続できるように、当該ボビンに巻き付けられたベルトを引き伸ばすことができる、ボビンを有し、当該ボビンはボビンの長さに沿って間隔をおいて複数のスロットを規定し、当該自由端から離れたベルトの端部には複数の舌状体が備えられ、各々の舌状体がそれぞれのスロットに受け入れられるように配置され、少なくともいくつかのスロットはスロットを横断して突出するキャッチ(a catch)を有し、少なくともこれらのスロット内に受け入れられる舌状体はそれぞれの開口部を有し、ここで、開口部がキャッチと位置合せされるまで舌状体はキャッチを通り抜けるために変形し、そして、開口部とキャッチが位置合せされると、舌状体がその未変形の形状を回復することができるようにキャッチが開口部に入り、舌状体はスロット内に保持される、「群衆を規制するバリア」が提供される。
【００２２】
本発明の種々の実施態様の特徴は組み合わされてバリア用の単一の保持装置あるいはそのような保持装置を含むバリアとすることができるものであると解釈される。そして、本発明は、本発明の第1の実施態様、本発明の第２の実施態様、本発明の第３の実施態様及び本発明の第４の実施態様の実行可能な組み合わせにまで及ぶものである。
【図面の簡単な説明】
【００２３】
【図１】ベルトを引き伸ばすことができる保持装置を含む、バリア柱状体の概略図である。
【図２】保持装置及びベルトの一部断面側面図である。
【図３】ばねキャリアに取り付けられたボビンの詳細図であるが、明瞭とするために回転制限テープを取り外している。
【図４】図３に対応する図であるが、当該テープが示されている。
【図５】保持装置の上部の一部断面斜視図である。
【図６】ベルトのボビンへの接続を示す図である。
【図７】図５とは別の構造である、保持装置の上部の一部断面斜視図である。
【図８】ベルトの自由端と当該自由端用の保持取っ手との接続を示す図である。
【図９Ａ】ボビンの回転をもたらすために、時計ばねではなく、らせんコイルばねを利用した、図１から５とは別の構造を示す図であり、当該コイルばねを分離して示す図である。
【図９Ｂ】ボビンの回転をもたらすために、時計ばねではなく、らせんコイルばねを利用した、図１から５とは別の構造を示す図であり、ベルトが保持装置から引き伸ばされていない時のばねの状態を示す図である。
【図９Ｃ】ボビンの回転をもたらすために、時計ばねではなく、らせんコイルばねを利用した、図１から５とは別の構造を示す図であり、ベルトが保持装置から完全に引き伸ばされている時のばねの状態を示す図である。
【発明を実施するための形態】
【００２４】
単なる例として、本発明の種々の態様を含む、「群衆を規制するバリア」の１つの実施例を、添付の図面を参照にして、詳細に記述する。
【００２５】
図１は本発明の種々の態様を含む、バリア柱状体の実施例の概略図である。当該柱状体は、基部１０の上端から上方へ突出する管１１とともに、一般的な円錐形の基部１０を含んでいる。管１１の上部１２は、図２のボビン１３のための保持装置として構成されており、当該管の上部の壁を貫通して形成された軸方向のスロット（細長い隙間）１４があり、ボビン１３に巻き付けられたベルトまたはフィルム１５をこのスロットを通して引き伸ばすことができる。ベルト１５の自由端１６は、棒１７を他の柱状体のような他の支持体に接続するためのクリップ１８を含む棒１７に固定されている。この目的のために、当該管の上部１２には、その周りに間隔をおいて配置された、３個の保持取っ手１９が備えられ、当該取っ手に他のバリア柱状体からのベルトのクリップ１８を固定することができる。当該管１１の上部１２の上部開放端はキャップ２０によって閉ざされており、キャップと管の上部開放端との間は差し込み型の接続(bayonet-type connection)がなされ、キャップ２０を管１１の上部１２の上部開放端に取り外し可能に固定することを可能にしている。この実施例においては、ベルトまたはフィルム１５は、公知のバリアに比べて、比較的大きな幅（すなわち、使用時の垂直方向深さ）を有している。当該ベルトは５００ｍｍあるいはそれ以上の幅を有することができる。
【００２６】
図２から図４は、当該管１１の当該上部１２の当該保持装置及び当該保持装置内に配置されたボビン１３の種々の細部を示している。当該上部の下端には、ばねキャリア２４のためのベアリング２３を提供する内部横断壁２２が備えられている。スパイラル状の時計ばね２５は、当該内部横断壁２２の直立リムに固定された外側端及び当該キャリア２４に固定された内側端を有し、当該管１１に対する当該キャリアの回転によって、当該ばねの張力が増加し、あるいは減少する。当該キャリアは、当該管１１の軸に沿って、当該横断壁２２から上方に突出するピンの形状であり、当該キャリアは当該横断壁２２に対して回転可能であるが、軸方向の運動に対して保持される。当該キャリアは、ばね２５に隣接した取付部分２６と当該取付部分２６の上方にらせん状に溝が付けられた部分２７とを有している。当該取付部分２６は、回転に対して保持されるために当該横断壁２２のリムに固定された円柱状の小部屋２８の内部に位置している。柔軟なテープ２９が、当該小部屋２８内に配置され、キャリア２４の取付部分２６に固定された一端と当該小部屋２８の側壁に固定された他端とを有しており、したがって、当該テープの当該他端は間接的に当該管１１に固定されている。このようにして、当該キャリア２４の回転によって、ばね２５の張力が変化し、キャリアの回転の向きによって、当該テープ２９がキャリアに巻き付けられ、あるいはキャリアから巻き戻される。
【００２７】
当該ボビン１３は中央部３１と当該中央部の各々の端に１つずつ備えられた１対の側板３２とを有する。らせん状のネジ山が付けられた穴３３は、キャリアのらせん状に溝が付けられた部分２７と補完的な形状を有し、キャリアに対するボビンの軸方向の運動は、軸方向の運動中にボビンが回転に対して保持されている限り、キャリアの回転を生じさせる。このようにして、図４における矢印Aで示すようにキャリアに対してボビンが取り付けられると、矢印Bで示すようにキャリアは回転する。
【００２８】
ボビンが取り外されている、キャリア２４、ばね２５、テープ２９の当初のセッティングにおいては、ばね２５に小さな張力が作用しているが、テープ２９は取付部分２６のまわりにきつく巻かれているので、ばねから張力を開放する向きにキャリアがさらに回転するのを抑制している。このようにして、テープによって許される範囲までばね２５は巻き戻され、ばねはキャリア２４及び当該装置の横断壁２２のリムに接続されたままになる。ボビン１３の中央部分のまわりに完全に巻き付けられているベルト１５を有するボビン１３が管１１内に押し込まれる時には、キャリアのらせん状に溝が付けられた部分２７はボビンの穴３３に入り、そして、ボビンが回転に対して保持されている限り、ばね２５に作用する張力は増えるが、テープ２９は巻き戻される向きにキャリアは回転する。このような動作中、棒１７は管１１の外側に位置され、ベルト１５はスロット１４に沿って通過する。ボビンが管１１内に完全に挿入されると、ボビンを管内に保持するために、キャップ２０が管の上端に取り付けられ、ボビンの上端がキャップの内部に設けられたベアリングに係合する。許可されていない取り外しを防止するために、キャップには安全装置を備え付けることができる。
【００２９】
ボビン１３とキャリア２４との間の相互作用が、ベルト１５が開放された時に、棒１７が管１１の外側表面に接触して位置したままになるように、ボビン１３を回転するのに十分な張力がばね２５に存在することを確実にする。ボビンが管１１から取り外される時には、キャップ２０が開放され、そして、ボビンを上方に引くと、テープ２９がキャリアのまわりにきつく巻き付けられるまで、ばねの張力が開放される向きにキャリアは回転し、その後は、キャリアのさらなる回転が妨げられる。これは、最小の張力であるが、それぞれキャリア２４及び横断壁２２のリムから、ばねの端が外れるのを防止するのに十分な張力がばね２５に存在する、部品の当初のセッティングである。
【００３０】
図５は、キャップ２０の内部及びボビン１３の上端の配置を示している。スタブ・シャフト(a stub shaft)３５がボビンから軸方向に突出し、キャップ２０の内部にばね３７によって支持されているベアリング板３６の中にスタブ・シャフトが受け入れられる。管１１の穴によって規定される範囲内において、当該板３６は、ボビン１３を支持しながら、横方向に移動することができる。ばね３７は、管１１のスロット１４から離れた方向に、当該板３６を付勢し、同様に、ボビン１３の上端をも付勢している。ベルト１５の上部における張力によって、ばね３７の作用に抗して当該板を動かすことができる。このことは、例えばベルト１５が管１１に対して正確に半径方向に引き伸ばされていない場合に、ボビンがベルト１５によるボビン上の中心を外れた荷重と協調することを可能にする。このことは、隣接する２つの柱状体が平行でない場合や床からの高さが同一でない場合に、起こりうるものであり、ベルトの上部又は下部がたるんでしまう。とりわけベルトがボビンに再び巻き付けられている時に、このような運動を可能にすることによって、ボビンが詰まって動かなくなることを防止する助けになり、そして、ベルトに「しわ」が形成されることなくベルトを均一に巻き付けることを確実にする。
【００３１】
次に、特に図６について説明するが、ベルト１５のボビン１３への接続が詳細に図示されている。ボビンの中央部分３１には、側板３２の間に伸びる複数の縦方向棒３８があり、そして、これらの棒の長さに沿って間隔をおいて、ベルトがそのまわりに巻かれる円柱状の表面を棒とともに規定する円形のリブ３９がある。２つの直径方向に対向する棒に、１つおきのリブ３９の対の間に、スロット４０が形成され、各々のスロット４０内にキャッチ４１が棒から突出して備えられている。ベルトの端部は、複数の舌状体を全てのスロット４０内に同時に挿入することができるように構成された複数の舌状体を備えるように形成されており、そして当該舌状体は必要に応じてキャッチ４１を通過するために変形する。各々の舌状体は開口部を有し、舌状体がスロット内に完全に受け入れられると、キャッチが舌状体の開口部に入り、舌状体がその正常な平坦な形状に戻ることができる。このようにして、ベルトの端部はボビンにしっかりと止め付けられるが、ベルトの取り付けは大変容易に達成され、単に、全ての舌状体をそれぞれのスロット４０を通して押し込むことだけが必要である。
【００３２】
図７も、キャップ２０の内部にボビン１３の上端を支持する他の構成を図示している。この構成においては、図５で図示されたらせんばね３７に代わって、キャップに対してベアリング板３６を付勢するために、２つの対向するトーションばね４２が用いられているが、図７においては、そのようなばね４２が１つだけ図示されている。ベアリング板は、必要に応じて、当該ばね４２の作用によってスロット１５に向かってあるいはスロット１５から離れる方向に浮動することができる。キャップは複数のばねを収納できるように変形されているが、他の全ての点においては、図７の構成は上記の構成に対応している。
【００３３】
図８は、他の円柱体の保持取っ手１９へのベルト１５の自由端のクリップ１８の接続を図示している。図８から分かるように、各々の保持取っ手は、管１１の外側表面に取り付けられた１対のトラニオン板を、当該板の間に伸びるペグ４３とともに、含んでいる。クリップ１８は、選択されたペグ４３にクリップをスナップ式に取り付けることができるように、内側にへこんだＣ字形状である。クリップは、ベルトの自由端１６にクリップを取り付けるため、及び、選択された保持取っ手１９にクリップを接続し、あるいは、選択された保持取っ手１９からクリップを取り外す際に、クリップの取り扱いを容易にするために用いられるレバー４４を含んでいる。
【００３４】
図２から図４までを参照して記載した実施例において、スロット１４からベルト１５を引き出すことによって、時計ばねの張力を増加するように、時計ばね２５が巻かれる。保持取っ手１９からベルトの自由端を開放すると、ベルトをボビンに再び巻き付けるために、ボビンは時計ばねによって回転され、そして、当該ばねの張力は、ベルトが巻き付けられるに従って、減少する。図９においては、横断壁２２とボビン１３との間に配置され、機能的には時計ばね２５と同等のらせんコイルばね４７を含む構成が図示されている。図９Ａでは、コイルばね４７は時計ばね２５より大きな軸方向長さを有するが、当該ばねの適切な巻き回数と適切なばね率を選択することによって、ベルトがボビンから引き出されるにつれて、ばね４７が巻き上げられる結果として起こるベルトの張力の大幅な増加なしに、ボビンのまわりにベルト１５をより多くの巻き回数で巻き付けることを可能にする。図９Ｂと図９Ｃとを比較してわかるように、ベルトが引き出され、ボビン１３が回転するにつれて、ばね４７の有効な直径は減少する。そして、ばね４７によって与えられる力によってベルトがボビンに再び巻き付けられる時には、図９Ｂに示すように、ばねの有効な直径は増加する。
【００３５】
図９の実施態様においては、小部屋２８も回転を制限するテープ２９も備えられていない。らせんコイルばね４７においては、ばねが巻き戻されないことが管１１の内径によって制限されるので、小部屋もテープも必要ではない。図９Ａに示すように、ばね４７は、管１１の内径よりも大きな緩和直径を有している。そのため、図９Ｂに示すように、管内に挿入するために、ばねの直径を減少させるためにばねは巻き上げられなければならない。ばねが挿入され開放されると、ばねが管１１の内壁に接触してさらなる巻き戻しが防止されるまで、ばねは巻き戻される。しかし、ばねはこの状態においてまだある程度巻き上げられている。ばねの下端は適切な構造で管１１に接続されており、上記と同様に、キャリアが管内に挿入される時に、キャリアはばねの上端に結合する。コイルばねを構成する金属線の端は、管及びキャリアとの確実な接続が保証されるように製造時に適切に成形されている。
【００３６】
ボビンを挿入すると、上記のようにキャリアは回転し、そして、図９Ｃに示すように、ばねがさらに巻き上げられるにつれて、ばねからのトルクは非常に速く増加し、ばねはもはや管によって抑圧されなくなる。ボビンを取り外す時に、ばねが再び抑圧されるまで、ばねは巻き戻されるが、ばねはまだ張力を有している。
【００３７】
図９を参照して記載した配置の代替手段として、ばねの荷重によってばねの直径が増加するトーションばね(a torsion spring)を用いることが可能であり、そして、ばねの巻き戻しを制限するシャフトに当該ばねは当初に配置される。当該ばねの下端は、管内に回転不可能に取り付けられたシャフトに結合され、そして、ボビンを挿入する作用によって、当該ばねの上端と結合されたキャリアを回転する時に、当該ばねの直径は増加し、当該ばねの張力も増加する。
【産業上の利用可能性】
【００３８】
実際の利用においては、いくつかの図１に図示するようなバリア柱状体が、当該柱状体の上端の装置内のボビン１３に巻き付けられたベルト１５の長さを超えることなく、柱状体の間に間隔をおいて所望の場所に配置される。柱状体の基部１０は、安定性を与えるため重くしてもよいが、より恒久的な据え付けのために、柱状体の下部の円錐部分を場合によっては除去して、柱状体を地面に固定しても良い。そして、ベルトは各々の柱状体から引き出され、１つのベルトのクリップ１８及び隣接した柱状体の選択された保持取っ手１９を用いて、隣接した柱状体に取り付けられる。ベルト１５が引き出されているので、ボビン１３に結合されているばね２５又は４７は巻き上げられ、そして、ばねの張力が増加する。結果として、ベルトのクリップ１８を保持取っ手１９から取り外すと、ベルトは、ボビンに結合されているばねにより与えられる力によって、ボビンに再び巻き付けられる。
【００３９】
ベルト１５が損傷し交換しなければならない場合、又はベルトが通知又は宣伝広告のような情報を伝えるものであり、その情報を交換することが必要である場合、ベルトを収納しているボビン１３は柱状体の上方部分から容易に取り出すことができ、異なるベルトを収納している別のボビンを次の使用のために柱状体の上方部分に挿入することができる。このことは、柱状体の上端のキャップ２０を取り外し、そして、スロット１４に沿ってベルトの端部を滑らせて、ボビンをベルトとともに管１１から引き出すことによって、達成される。
【００４０】
ボビンがばねキャリア２４から引き離されると、キャリア２４の溝が付けられた部分２７とボビンの対応するネジ山が付けられた穴３３との相互係合のおかげで、ボビンとばねキャリアとの間に相対的な回転が生じる。このことにより、ばねは巻き戻され続けることができ、ばねの張力は開放されるが、図１から図８までの実施態様においては、ばねの最大巻き戻し回転はテープ２９によって制限されている。そして、管１１内に別のボビンが押し込まれて、ボビンが回転に対して保持されている間に、キャリア２４の溝が付けられた部分２７と新しいボビンのネジ山が付けられた穴３３とが相互係合している時に、ボビンとばねキャリアとの間の相対的な回転によって、ばねは予荷重される。そして、キャップ２０は管１１に再び取り付けられ、バリアは使用の準備が整った状態になる。ばねの予荷重によって、ベルトの自由端が開放されると、棒１７が管１１に結合するまで、ベルトがボビンに常に完全に再び巻き付けられることが確保される。
【符号の説明】
【００４１】
１０  基部
１１  管
１２  １１の上部
１３  ボビン
１４  スロット
１５  ベルト、フィルム
１６  １５の自由端
１７  棒
１８  クリップ
１９  保持取っ手
２０  キャップ
２２  内部横断壁
２３  ベアリング
２４  ばねキャリア
２５  時計ばね
２６  取付部分
２７  らせん状に溝が付けられた部分
２８  小部屋
２９  柔軟なテープ
３１  １３の中央部
３２  １３の側板
３３  らせん状のネジ山が付けられた穴
３５  スタブ・シャフト
３６  ベアリング板
３７  ばね
３８  縦方向棒
３９  リブ
４０  スロット
４１  キャッチ
４２  トーションばね
４３  ペグ
４４  レバー
４７  らせんコイルばね
【図１】
0006035611.tif 000002
【図２】
0006035611.tif 000003
【図３】
0006035611.tif 000004
【図４】
0006035611.tif 000005
【図５】
0006035611.tif 000006
【図６】
0006035611.tif 000007
【図７】
0006035611.tif 000008
【図８】
0006035611.tif 000009
【図９Ａ】
0006035611.tif 000010
【図９Ｂ】
0006035611.tif 000011
【図９Ｃ】
0006035611.tif 000012